【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
視標光束を出射する視標呈示部と、前記視標光束の像が光学的に第１検査距離にて被検眼に投影されるように前記被検眼に前記視標光束を導光する光学部材と、を有し、前記視標呈示部から出射された前記視標光束を前記光学部材を介して前記被検眼に向けて投影する投光光学系を備え、
前記投光光学系によって、前記第１検査距離にて前記視標光束を前記被検眼に投影し、前記被検眼の光学特性を自覚的に測定するための自覚式検眼装置であって、
前記第１検査距離にて前記視標光束が前記被検眼に投影される前記第１光路と、前記視標呈示部からの前記視標光束の像が前記光学部材を介すことなく前記第１検査距離とは異なる第２検査距離にて前記被検眼に投影される第２光路と、を切り換える光路切換手段と、
距離変更用光学部材と、距離変更用光学部材を駆動させる駆動手段と、を有し、前記第１光路又は前記第２光路のいずれかの光路中において、前記距離変更用光学部材を駆動させることによって、前記第１検査距離又は前記第２検査距離を光学的に変更する検査距離変更手段と、
前記視標光束を前記被検眼に投影する際の検査距離を設定するための検査距離情報を取得する検査距離情報取得手段と、
を備え、
前記検査距離変更手段は、前記検査距離情報に基づいて、前記光路切換手段によって前記視標光束が前記被検眼に投影される光路を前記第１光路又は前記第２光路に設定し、設定した光路において、前記距離変更用光学部材を駆動させて、検査距離を前記第１検査距離及び前記第２検査距離とは異なる検査距離へ光学的に変更することを特徴とする自覚式検眼装置。
【請求項２】
請求項１の自覚式検眼装置において、
前記検査距離変更手段は、前記駆動手段を駆動させ、前記第１光路又は前記第２光路のいずれかの光路中において、前記距離変更用光学部材を移動させることによって、前記第１検査距離又は前記第２検査距離を光学的に変更することを特徴とする自覚式検眼装置。
【請求項３】
請求項１又は２の自覚式検眼装置において、
前記投光光学系の光路中に配置され、前記視標光束の光学特性を変化する矯正手段と、
前記矯正手段によって前記視標光束の光学特性を変化させるための光学特性情報を取得する光学特性情報取得手段と、
前記光学特性情報に基づいて前記矯正手段を制御する矯正制御手段と、
を備えることを特徴とする自覚式検眼装置。
【請求項４】
請求項３の自覚式検眼装置において、
前記距離変更用光学部材は、前記矯正手段と兼用されることを特徴とする自覚式検眼装置。
【請求項５】
請求項４の自覚式検眼装置において、
前記矯正制御手段は、前記光学特性情報と、前記検査距離情報と、に基づいて、前記矯正手段を制御することを特徴とする自覚式検眼装置。
【請求項６】
請求項１〜５のいずれかの自覚式検眼装置において、
前記検査距離変更手段は、前記第１光路又は前記第２光路の設定において、前記第１検査距離又は前記第２検査距離を変更する際の前記距離変更用光学部材による光学的な変更量が少ない方の光路を設定することを特徴とする自覚式検眼装置。
【請求項７】
視標光束を出射する視標呈示部と、前記視標光束の像が光学的に遠用検査距離にて被検眼に投影されるように前記被検眼に前記視標光束を導光する光学部材と、を有し、前記視標呈示部から出射された前記視標光束を前記光学部材を介して前記被検眼に向けて投影する投光光学系を備え、
前記投光光学系によって、前記遠用検査距離にて前記視標光束を前記被検眼に投影し、前記被検眼の光学特性を自覚的に測定するための自覚式検眼装置であって、
前記遠用検査距離にて前記視標光束が前記被検眼に投影される前記第１光路と、前記視標呈示部からの前記視標光束の像が前記光学部材を介すことなく前記遠用検査距離とは異なる近用検査距離にて前記被検眼に投影される第２光路と、を切り換える光路切換手段と、
距離変更用光学部材と、距離変更用光学部材を駆動させる駆動手段と、を有し、前記近用検査光路において、前記距離変更用光学部材を駆動させることによって、前記近用検査距離を光学的に変更する検査距離変更手段と、
前記視標光束を前記被検眼に投影する際の検査距離を設定するための検査距離情報を取得する検査距離情報取得手段と、
を備え、
前記検査距離変更手段は、前記検査距離情報として検査距離が２５ｃｍから６５ｃｍの検査距離の範囲の場合に、前記光路切換手段によって前記視標光束が前記被検眼に投影される光路を前記近用検査光路に設定し、設定した光路において、前記距離変更用光学部材を駆動させて、前記近用検査距離とは異なる検査距離であって、２５ｃｍから６５ｃｍの範囲の検査距離へ光学的に変更し、色収差を抑制した視標を被検眼に呈示することを特徴とする自覚式検眼装置。
【請求項８】
視標光束を出射する視標呈示部と、前記視標光束の像が光学的に第１検査距離にて被検眼に投影されるように前記被検眼に前記視標光束を導光する光学部材と、を有し、前記視標呈示部から出射された前記視標光束を前記光学部材を介して前記被検眼に向けて投影する投光光学系と、
前記第１検査距離にて前記視標光束が前記被検眼に投影される前記第１光路と、前記視標呈示部からの前記視標光束の像が前記光学部材を介すことなく前記第１検査距離とは異なる第２検査距離にて前記被検眼に投影される第２光路と、を切り換える光路切換手段と、
距離変更用光学部材と、
距離変更用光学部材を駆動させる駆動手段と、
を備え、
前記投光光学系によって、前記第１検査距離にて前記視標光束を前記被検眼に投影し、前記被検眼の光学特性を自覚的に測定するための自覚式検眼装置において用いられる自覚式検眼プログラムであって、前記自覚式検眼装置のプロセッサによって実行されることで、
前記視標光束を前記被検眼に投影する際の検査距離を設定するための検査距離情報を取得する検査距離情報取得ステップと、
前記第１光路又は前記第２光路のいずれかの光路中において、前記距離変更用光学部材を駆動させることによって、前記第１検査距離又は前記第２検査距離を光学的に変更する検査距離変更ステップであって、前記検査距離情報に基づいて、前記光路切換手段によって前記視標光束が前記被検眼に投影される光路を前記第１光路又は前記第２光路に設定し、設定した光路において、前記距離変更用光学部材を駆動させて、検査距離を前記第１検査距離及び前記第２検査距離とは異なる検査距離へ光学的に変更する検査距離変更ステップと、
を前記自覚式検眼装置に実行させることを特徴とする自覚式検眼プログラム。
【請求項９】
視標光束を出射する視標呈示部と、前記視標光束の像が光学的に遠用検査距離にて被検眼に投影されるように前記被検眼に前記視標光束を導光する光学部材と、を有し、前記視標呈示部から出射された前記視標光束を前記光学部材を介して前記被検眼に向けて投影する投光光学系と、
前記遠用検査距離にて前記視標光束が前記被検眼に投影される前記第１光路と、前記視標呈示部からの前記視標光束の像が前記光学部材を介すことなく前記遠用検査距離とは異なる近用検査距離にて前記被検眼に投影される第２光路と、を切り換える光路切換手段と、
距離変更用光学部材と、
距離変更用光学部材を駆動させる駆動手段と、
を備え、
前記投光光学系によって、前記遠用検査距離にて前記視標光束を前記被検眼に投影し、前記被検眼の光学特性を自覚的に測定するための自覚式検眼装置において用いられる自覚式検眼プログラムであって、前記自覚式検眼装置のプロセッサによって実行されることで、
前記視標光束を前記被検眼に投影する際の検査距離を設定するための検査距離情報を取得する検査距離情報取得ステップと、
前記検査距離情報として検査距離が２５ｃｍから６５ｃｍの検査距離の範囲の場合に、前記光路切換手段によって前記視標光束が前記被検眼に投影される光路を前記近用検査光路に設定し、設定した光路において、前記距離変更用光学部材を駆動させて、前記近用検査距離とは異なる検査距離であって、２５ｃｍから６５ｃｍの範囲の検査距離へ光学的に変更し、色収差を抑制した視標を被検眼に呈示する検査距離変更ステップと、
を前記自覚式検眼装置に実行させることを特徴とする自覚式検眼プログラム。